(57)【要約】【課題】  簡単な構成で、低コストにて製造することができるとともに、練習場所を選ぶことなく、任意の場所でゴルフスイングの練習をすることが可能であり、しかも、自分のスイング動作を認識しながら練習することができるので、ボデイーターンの原理に従った正しいフォームのスイングを容易に習得することが可能なスイング練習用具及びこれを用いたスイング練習機を提供することを課題とする。【解決手段】  ゴルフクラブのシャフトに着脱自在又はスイング練習機のシャフト部に固定した状態で取り付けられるスイング練習用具において、前記ゴルフクラブのシャフト又はスイング練習機のシャフト部に取り付けられる部材であって、前記ゴルフクラブのシャフト又はスイング練習機のシャフト部のスイング動作時における状態を、目視によって識別可能に形成された視認部材を備えるように構成して課題を解決した。【選択図】  図１
2006296462.tif 000002
【特許請求の範囲】
【請求項１】
ゴルフクラブのシャフトに着脱自在又はスイング練習機のシャフト部に固定した状態で取り付けられるスイング練習用具において、
前記ゴルフクラブのシャフト又はスイング練習機のシャフト部に取り付けられる部材であって、前記ゴルフクラブのシャフト又はスイング練習機のシャフト部のスイング動作時における状態を、目視によって識別可能に形成された視認部材を備えたことを特徴とするスイング練習用具。
【請求項２】
ゴルフクラブのシャフトに着脱自在又はスイング練習機のシャフト部に固定した状態で取り付けられ、ボディターンの原理に従ったゴルフスイングを練習するために使用するスイング練習用具において、
前記ゴルフクラブのシャフト又はスイング練習機のシャフト部に、その長手方向に沿って起立した状態で取り付けられる平板状部材であって、表裏両面が目視によって互いに識別可能に形成された視認部材によって構成され、
前記ゴルフクラブ又はスイング練習機のグリップ部を握って一連のスイング動作を行う間に、前記視認部材が練習者の体に対して垂直となって、当該視認部材のいずれの面もが視認されないようにスイング動作を行うことにより、ボディターンを習得することを特徴とするスイング練習用具。
【請求項３】
前記視認部材は、その表裏両面が異なった色に着色されていることを特徴とする請求項２に記載のスイング練習用具。
【請求項４】
前記視認部材は、ゴルフクラブのシャフトに着脱自在とする取付部を備えていることを特徴とする請求項１乃至３のいずれかに記載のスイング練習用具。
【請求項５】
前記スイング練習用具は、スイング練習機のシャフト部に長手方向に沿って直交するように、且つ水平に取り付けられ、スイングの方向を示す矢印形状の方向視認部材を備えていることを特徴とする請求項１乃至４のいずれかに記載のスイング練習用具。
【請求項６】
グリップ部と、当該グリップ部に突設されたシャフト部とを備え、ゴルフスイングを練習するために使用するスイング練習機において、
前記スイング練習機のシャフト部に固定した状態で取り付けられる部材であって、前記スイング練習機のシャフト部のスイング動作時における状態を、目視によって識別可能に形成された視認部材を備えたことを特徴とするスイング練習機。
【請求項７】
グリップ部と、当該グリップ部に突設されたシャフト部とを備え、ボディターンの原理に従ったゴルフスイングを練習するために使用するスイング練習機において、
前記スイング練習機のシャフト部に固定した状態で、且つ当該シャフト部の長手方向に沿って起立した状態で取り付けられる平板状部材であって、表裏両面が目視によって互いに識別可能に形成された視認部材を備え、
前記スイング練習機のグリップ部を握って一連のスイング動作を行う間に、前記視認部材が練習者の体に対して垂直となって、当該視認部材のいずれの面もが視認されないようにスイング動作を行うことにより、ボディターンを習得することを特徴とするスイング練習機。
【発明の詳細な説明】
【技術分野】
【０００１】
この発明は、ゴルフのスイングを練習するために使用されるスイング練習用具及びこれを用いたスイング練習機に関し、特にボディターンの原理に従ったゴルフスイングを練習するために使用するスイング練習用具及びこれを用いたスイング練習機に関するものである。
【背景技術】
【０００２】
【特許文献１】特開２００１−１６１８７９号公報
【特許文献２】特開２００３−１６４５５４号公報
【特許文献３】特開２００４−３２１７６７号公報
【特許文献４】特開２００４−３３７２１３号公報
【特許文献５】特開２００４−３２９８２３号公報
【０００３】
従来、この種のゴルフのスイングを練習するために使用されるスイング練習用具としては、多種多様なものが提案されており、その一部が製品化されてきている。上記スイング練習用具は、例えば、スイングの練習を行う場所の床面上に設置して使用する設置タイプのものと、ゴルフクラブ等に取り付けて使用する装着タイプのものに、大別することができる。上記設置タイプのスイング練習用具に関連する技術としては、例えば、特開２００１−１６１８７９号公報や特開２００３−１６４５５４号公報、あるいは特開２００４−３２１７６７号公報等に開示されたものが既に提案されている。また、上記装着タイプのスイング練習用具に関連する技術としては、例えば、特開２００４−３３７２１３号公報や特開２００４−３２９８２３号公報等に開示されたものが既に提案されている。
【０００４】
上記特開２００１−１６１８７９号公報に係るゴルフ練習機は、図１９に示すように、ほぼ螺旋状のスイングパターン形状に形成されたガイドレールと、前記ガイドレールを傾斜状態に保持する支持機構と、前記ガイドレールに沿って移動可能なスライド部材と、前記スライド部材にシャフト軸中心に回動自在に係止されたゴルフクラブとを備えるように構成したものである。
【０００５】
また、上記特開２００３−１６４５５４号公報に係るゴルフスイング矯正具は、図２０に示すように、スイングの練習をする場合、ゴルファーの前に此の矯正具を置き、遮影スリットを介して、効き眼にて識別帯を透視して、スイングの構えから始動し、更にトップスイングまで、又更にダウンスイング、フィニッシュまで効き眼が上下左右に移動しないように、即ち眼線が識別帯がはずれない様に、又は一定量のはずれを保ってスイングすることを訓練し修得するのに役立つように構成したものである。
【０００６】
さらに、上記特開２００４−３２１７６７号公報に係るゴルフ練習装置は、図２１に示すように、プレーヤーがゴルフボール載置位置を目視する目線上で、かつ、クラブヘッド軌道上で同クラブヘッドが十分通る高さで宙に浮いた状態に配置する頭部ぶれ検出用マーカーと、同頭部ぶれ検出用マーカーを支持するマーカー支持体とを具備するように構成したものである。
【０００７】
また更に、上記特開２００４−３２９８２３号公報に係る方向指示具付きヘッドカバーは、図２２に示すように、ヘッドカバーにターゲットラインが明確になるような棒状のような器具を付けたものであり、この器具は、ヘッドカバーに収納出来るコンパクトな物に構成したものである。
【０００８】
又、上記特開２００４−３３７２１３号公報に係るゴルフ練習機は、図２３に示すように、ゴルフクラブのシャフトの直径ほぼ同じかやや小さめの直径の中心透孔を有するシリコーンゴム製の円筒チューブにおいて、該チューブの長さ方向の全長に亘って上記中心透孔に達する切れ目を１つ設けるように構成したものである。
【発明の開示】
【発明が解決しようとする課題】
【０００９】
しかしながら、上記従来技術の場合には、次のような問題点を有している。すなわち、上記特開２００１−１６１８７９号公報や特開２００３−１６４５５４号公報、あるいは特開２００４−３２１７６７号公報等に開示された設置タイプのスイング練習用具の場合には、ある程度本格的にスイングの練習をすることができるが、装置が大型となり、広い設置場所やある程度のスペースを必要とするとともに、装置が高価となり、初心者や中級者などが気軽にスイングの練習をすることができないという問題点を有していた。
【００１０】
一方、上記特開２００４−３３７２１３号公報や特開２００４−３２９８２３号公報等に開示され装着タイプのスイング練習用具の場合には、初心者や中級者などが気軽にスイングの練習をすることができる反面、スイング練習の十分な効果を期待することができず、自己流の練習にならざるを得ず、体で覚えた自己流のスイングを脱することが困難であるという問題点を有していた。
【００１１】
更に説明すると、ゴルフのスイングは、ゴルフクラブを握った状態で、体の中心線を回転中心として、体全体を回転させる動きを基本とする。打ったゴルフボールが左右に曲がるミスヒットになる最大の原因は、スイング動作中に手を使ってしまうからである。特に、スイングの初期段階であるアドレスからテークバック及びバックスイングで手を使ってしまうと、ゴルフクラブのフェースが傾いてしまい、スイング動作のすべてが台無しとなって、ゴルフが上達しない理由がここにある。バックスイングで手を使わなければ動きがシンプルになるだけでなく、大半のゴルファーは、それだけでスイングプレーンがきれいになり上達する。
【００１２】
しかしながら、上記特開２００４−３３７２１３号公報に係るゴルフ練習具の場合には、クラブのシャフトに嵌めてスイングの練習をすることによって、ヘッドスピードが増加し、飛距離を伸ばすことができ、また、筋力アップが望めたり、ゆっくり振ることにより正しいスイングが身につくことなどを期待したものであるが、クラブのフェースが傾いた状態でスイングしたり、手のみで打つ所謂“手打ち”となるのを防止することができず、練習効果が十分に得られないという問題点を有していた。
【００１３】
また、上記特開２００４−３２９８２３号公報に係る方向指示具付きヘッドカバーの場合には、ヘッドカバーに付けられた棒状の器具によって、スイングの方向性をある程度認識することができるものの、やはり、クラブのフェースが傾いた状態でスイングしたり、手のみで打つ所謂“手打ち”となるのを防止することができず、練習効果が十分に得られないという問題点を有していた。
【００１４】
特に、初心者や中級者の場合には、スイング動作の練習中に、体で覚えた自己流のスイングの癖を認識することができないため、特開２００４−３３７２１３号公報や特開２００４−３２９８２３号公報等に開示されたゴルフ練習具を用いて熱心に練習しても、自己流のスイングの癖を認識して改めない限り、上達できないという大きな問題点を有していた。
【００１５】
そこで、この発明は、上記従来技術の問題点を解決するためになされたものであり、その目的とするところは、簡単な構成で、低コストにて製造することができるとともに、練習場所を選ぶことなく、任意の場所でゴルフスイングの練習をすることが可能であり、しかも、自分のスイング動作を認識しながら練習することができるので、ボデイーターンの原理に従った正しいフォームのスイングを容易に習得することが可能なスイング練習用具及びこれを用いたスイング練習機を提供することにある。
【課題を解決するための手段】
【００１６】
すなわち、請求項１に記載された発明は、ゴルフクラブのシャフトに着脱自在又はスイング練習機のシャフト部に固定した状態で取り付けられるスイング練習用具において、
前記ゴルフクラブのシャフト又はスイング練習機のシャフト部に取り付けられる部材であって、前記ゴルフクラブのシャフト又はスイング練習機のシャフト部のスイング動作時における状態を、目視によって識別可能に形成された視認部材を備えたことを特徴とするスイング練習用具である。
【００１７】
ここで、ゴルフクラブのシャフト又はスイング練習機のシャフト部のスイング動作時における状態とは、シャフト又はシャフト部の三次元方向における少なくとも１つ以上の方向の位置や回転（ねじれ）を意味するものである。
【００１８】
また、上記視認部材としては、例えば、平板状のものが用いられるが、これに限定されるものではなく、球形状や楕円体状、あるいは直方体状などあらゆる立体形状に形成されたものを用いても良い。さらに、上記立体形状に形成された視認部材は、例えば、左右や上下が異なった色に着色される。
【００１９】
また、請求項２に記載された発明は、ゴルフクラブのシャフトに着脱自在又はスイング練習機のシャフト部に固定した状態で取り付けられ、ボディターンの原理に従ったゴルフスイングを練習するために使用するスイング練習用具において、
前記ゴルフクラブのシャフト又はスイング練習機のシャフト部に、その長手方向に沿って起立した状態で取り付けられる平板状部材であって、表裏両面が目視によって互いに識別可能に形成された視認部材によって構成され、
前記ゴルフクラブ又はスイング練習機のグリップ部を握って一連のスイング動作を行う間に、前記視認部材が練習者の体に対して垂直となって、当該視認部材のいずれの面もが視認されないようにスイング動作を行うことにより、ボディターンを習得することを特徴とするスイング練習用具である。
【００２０】
さらに、請求項３に記載された発明は、前記視認部材は、その表裏両面が異なった色に着色されていることを特徴とする請求項２に記載のスイング練習用具である。
【００２１】
又、請求項４に記載された発明は、前記視認部材は、ゴルフクラブのシャフトに着脱自在とする取付部を備えていることを特徴とする請求項１乃至３のいずれかに記載のスイング練習用具である。
【００２２】
更に、請求項５に記載された発明は、前記スイング練習用具は、スイング練習機のシャフト部に長手方向に沿って直交するように、且つ水平に取り付けられ、スイングの方向を示す矢印形状の方向視認部材を備えていることを特徴とする請求項１乃至４のいずれかに記載のスイング練習用具である。
【００２３】
また、請求項６に記載された発明は、グリップ部と、当該グリップ部に突設されたシャフト部とを備え、ゴルフスイングを練習するために使用するスイング練習機において、
前記スイング練習機のシャフト部に固定した状態で取り付けられる部材であって、前記スイング練習機のシャフト部のスイング動作時における状態を、目視によって識別可能に形成された視認部材を備えたことを特徴とするスイング練習機である。
【００２４】
さらに、請求項７に記載された発明は、グリップ部と、当該グリップ部に突設されたシャフト部とを備え、ボディターンの原理に従ったゴルフスイングを練習するために使用するスイング練習機において、
前記スイング練習機のシャフト部に固定した状態で、且つ当該シャフト部の長手方向に沿って起立した状態で取り付けられる平板状部材であって、表裏両面が目視によって互いに識別可能に形成された視認部材を備え、
前記スイング練習機のグリップ部を握って一連のスイング動作を行う間に、前記視認部材が練習者の体に対して垂直となって、当該視認部材のいずれの面もが視認されないようにスイング動作を行うことにより、ボディターンを習得することを特徴とするスイング練習機である。
【発明の効果】
【００２５】
この発明によれば、ころは、簡単な構成で、低コストにて製造することができるとともに、練習場所を選ぶことなく、任意の場所でゴルフスイングの練習をすることが可能であり、しかも、自分のスイング動作を認識しながら練習することができるので、ボディターンの原理に従った正しいフォームのスイングを容易に習得することが可能なスイング練習用具及びこれを用いたスイング練習機を提供することができる。
【発明を実施するための最良の形態】
【００２６】
以下に、この発明の実施の形態について図面を参照して説明する。
【００２７】
実施の形態１
図１はこの発明の実施の形態１に係るスイング練習用具を適用したスイング練習機を示すものである。
【００２８】
図１において、１はスイング練習機を示すものであり、このスイング練習機１は、通常のゴルフクラブと同様に、両手で握るグリップ部２と、当該グリップ部２の先端部に突設されたシャフト部３とを備えているが、このシャフト部３は、通常のゴルフクラブよりも大幅に短く設定されているとともに、ヘッドは取り付けられていない。なお、上記スイング練習機１のグリップ部２は、通常のゴルフクラブと同様に構成されている。また、スイング練習機１は、ゴルフクラブと同様に構成して、ヘッドを備えるように構成しても良い。さらに、上記スイング練習機１は、右利き用及び左利き用共通に形成されている。
【００２９】
上記スイング練習機１のシャフト部３は、図２に示すように、中実な円柱形状に形成されているが、当該シャフト部３は、円筒形状に形成しても勿論よい。また、上記シャフト部３の上端面３ａは、図２に示すように、その長手方向に沿って平坦に形成しても良い。
【００３０】
さらに、上記スイング練習機１のシャフト部３は、スイングの練習を行うとともに、筋力アップのトレーニングを兼ねるように、ある程度の重量を有するように構成されている。このシャフト部３を構成する材料としては、特に限定されるものではないが、ある程度の重量を持たせるため、鉄やステンレス等の金属が用いられる。上記スイング練習機１の全重量は、例えば、２．８ｋｇ程度に設定されるが、これよりも軽くても重くても良いことは勿論である。さらに、上記スイング練習機１の全重量は、男性用以外に、女性用のものなどを考慮して、２．５ｋｇ以内や２．０ｋｇ以内に設定したり、あるいは３．０ｋｇ以上に設定しても良い。上記スイング練習機１の重量は、例えば、シャフト部３の材質、あるいはシャフト部３の直径や長さを適宜調節することによって、所定の値に設定される。また、上記シャフト部３の軽量化を図る場合には、当該シャフト部３をチタン合金やカーボンファイバー等によって形成しても良い。
【００３１】
また、上記スイング練習機１のシャフト部３は、その長さが適宜設定され、特に限定されるものではないが、持ち運びの容易性などを考慮して、例えば、約３０ｃｍ程度に設定される。ただし、上記シャフト部３の長さは、これに限定されるものではなく、約３０ｃｍ程度よりも長くても良いし、短くても良い。
【００３２】
さらに、上記スイング練習機１のシャフト部３の上端部３ａには、図１及び図３に示すように、ボディターンの原理に従ったゴルフスイングを練習するために使用するスイング練習用具４が固定した状態で取り付けられている。このスイング練習用具４は、シャフト部３の上端部３ａに、その長手方向に沿って起立した状態で、シャフト部３の中心線を通る平面を含み、当該シャフト部３の上端部３ａに垂直となるように取り付けられる平板状部材であって、表裏両面が目視によって互いに識別可能に形成された視認部材としての視認プレート（垂直方向視認プレート）５によって構成されている。
【００３３】
この視認プレート５は、図３に示すように、例えば、ステンレスやアルミニウム等の金属によって、厚さが薄くて、且つ高さが低く、細長い略平行四辺形状に形成されており、溶接や接着等によってシャフト部３の上端部３ａに固定した状態で取り付けられている。更に説明すると、上記視認プレート５は、図１及び図３（ａ）に示すように、細長い略平行四辺形状ではあるが、上端部の先端に位置する角部５ａが比較的大きな曲率半径を有するアール形状に形成されているとともに、上端部の後端に位置する角部５ｂは、比較的小さな曲率半径を有するアール形状に形成されている。また、上記視認プレート５の後端縁５ｃは、その上端部から下端部に掛けて略Ｓ字形状の曲線を描く形状に形成されている。
【００３４】
この視認プレート５の後端縁５ｃは、図４に示すように、利き手の親指とひとさし指の間の股の部分を、視認プレート５の後端縁５ｃにフィットさせた状態で、シャフト部３を握り、グリップ部２が腕の肘よりも上の部分に真っ直ぐに当たるように、スイング練習機１を把持することによって、理想的なグリップ状態を得ることができ、グリップの練習をも可能となっている。
【００３５】
また、上記視認プレート５は、ステンレスやアルミニウム等の金属に限らず、図５に示すように、アクリル樹脂等の合成樹脂や、木材や紙、フィルム、シート等によって、厚さが薄くて、且つ高さが低く、細長い略平行四辺形状に形成しても良い。さらに、上記視認プレート５の形状は、略平行四辺形状に限らず、三角形状、長方形状、正方形状、楕円形状、半円形状など任意である。なお、上記視認プレート５をフィルムやシート等によって形成する場合には、その外周部に細い金属線や合成樹脂等からなる枠体を配置する必要がある。
【００３６】
さらに、上記視認プレート５は、図３（ｂ）に示すように、スイング練習機１のシャフト部３に取り付けて使用する状態で、向かって左側の面６が外周縁を除いてオレンジ色に、右側の面７が外周縁を除いて青色に一様に着色されており、表裏両面が目視によって互いに識別可能に形成されている。
【００３７】
なお、上記視認プレート５は、その表裏両面を着色する色が、オレンジや青に限定されるものではなく、赤や黄色、緑や紺色など、他の色であっても良いことは勿論である。また、上記視認プレート５は、表裏両面が目視によって互いに識別可能であれば、必ずしも、所定の色に着色する必要はなく、一方の表面又は両面に縞模様やチェック模様など所望の模様を付したり、色付き模様を付するように構成しても良い。
【００３８】
上記視認プレート５は、金属製の場合には溶接や接着等によって取り付けられるが、図５に示すように、その長手方向の両端部下端に取り付け部８、９を一体的に突設し、手前側の取り付け部９は、例えば、中央部１０が山型に突出した形状に形成するように構成しても良い。そして、上記取り付け部８は、図６及び図７に示すように、１本のプラスチック製のバンド１１によってシャフト部３に起立した状態で取り付けられているとともに、他方の取り付け部９は、山型の中央部１０の両側が、それぞれプラスチック製のバンド１２によってシャフト部３に起立した状態で取り付けられている。なお、上記視認プレート５は、上述したように、溶接や接着、あるいはネジ止め等の手段によって取り付けるように構成しても良い。
【００３９】
さらに、上記スイング練習機１のシャフト部３の先端部には、図１及び図３に示すように、ステンレスやアルミ等の金属、あるいは合成樹脂等によって、当該スイング練習機１のスイングの方向を示す両端部１３ａ、１３ｂが互いに逆方向を向いた矢印形状に形成された第２の視認部材としてのスイング方向視認プレート１３が、シャフト部３と直交するように、ネジ１４止めや接着等の手段によって取り付けられている。上記スイング方向視認プレート１３は、スイングの方向を示すものであり、体の中心線を回転中心として、スイング動作が行われていれば、当該方向指示プレート１３は、スイング練習機１のシャフト部３の先端が描く円弧の接線方向を常に指しているが、所謂“手打ち”になった場合には、スイング方向視認プレート１３がスイング練習機１のシャフト部３の先端が描く円弧の内側や外側を向いたり、水平にスイングできていない場合には、スイング方向視認プレート１３が下方を向いたり、上方を向いたりするので、練習者がスイングの方向性を容易に認識することができる。上記スイング方向視認プレート１３は、シャフト部３の先端部より僅か手前側に取り付けられているが、当該シャフト部３の先端部や、視認プレート５と一体的に設けるなど、任意の位置に取り付けても勿論良い。
【００４０】
また、上記スイング方向視認プレート１３は、図１及び図３（ｂ）に示すように、スイング練習機１のシャフト部３に取り付けて使用する状態で、向かって左側の面１５が外周縁を除いてオレンジ色に、右側の面１６が外周縁を除いて青色に、それぞれ三角形状に着色されており、左右両側が目視によって互いに識別可能に形成されている。なお、上記スイング方向視認プレート１３は、その裏面も表面と同じ色に着色されている。
【００４１】
以上の構成において、この実施の形態に係るスイング練習用具を適用したスイング練習機では、次のようにして、簡単な構成で、低コストにて製造することができるとともに、練習場所を選ぶことなく、任意の場所でゴルフスイングの練習をすることが可能であり、しかも、自分のスイング動作を認識しながら練習することができるので、ボディーターンの原理に従った正しいフォームのスイングを容易に習得することが可能となっている。
【００４２】
すなわち、この実施の形態に係るスイング練習用具を適用したスイング練習機１では、図８に示すように、練習者５０がスイング練習機１のグリップ部２を、通常のゴルフクラブと同様に両手で握って構え、アドレスからテークバック及びバックスイング、更にはインパクト、フォロースルーへと一連のスイング動作を行うようになっている。
【００４３】
ところで、練習者５０がドライバー等のゴルフクラブ２０をスイングする際には、通常、図９に示すように、ゴルフクラブ２０を両手で握り、アドレスの姿勢に入る。次に、練習者５０は、図１０（ａ）〜（ｃ）に示すように、テークバックからバックスイング、更には図１１（ｄ）〜（ｆ）に示すように、インパクトからフォロースルーへと、一連のスイング動作を行う。
【００４４】
その際、練習者５０は、図８に示すように、アドレスの姿勢において、スイング練習機１のシャフト部３に取り付けられた視認プレート５が、体に対して垂直となるように、つまり、当該視認プレート５の青色の面６及び赤色の面７が視認されず、視認プレート５の稜線５ａ’のみが視認できるように、スイング練習機１のグリップ部２を握る。
【００４５】
次に、練習者５０は、スイング練習機１を後方に振り上げてテークバック動作を行うが、その際にも、スイング練習機１の視認プレート５が、体に対して垂直となるように、つまり、当該視認プレート５の青色の面６及び赤色７の面が視認されず、視認プレート５の稜線５ａ’のみが視認できる状態で、体を後方にひねるようになっている。
【００４６】
さらに、練習者５０は、スイング練習機１を後方に振り上げた後、バックスイングから、インパクトを経て、フォロースルーを行うが、これらの動作を通じても、スイング練習機１の視認プレート５が、体に対して常に垂直となるように、当該視認プレート５の青色の面６及び赤色の面７が視認されず、視認プレート５の稜線５ａ’のみが視認できる状態でスイングを行う。
【００４７】
このように、上記スイング練習機１では、スイング動作の全体を通して、視認プレート５が練習者５０の体に対して垂直となるように、当該視認プレート５の青色の面６及び赤色の面７が視認されず、視認プレート５の稜線５ａ’のみが視認できる状態で、体をひねることにより、体の中心線を回転中心として、スイング動作を行うことができ、ボディターンの原理に従ったスイングを習得することができるようになっている。
【００４８】
図１２及び図１３に示すように、練習者５０のスイングが、所謂“手打ち”になると、例えば、バックスイング時に手首が返ると、スイング練習機１のシャフト部３に取り付けられた視認プレート５の赤色の面７が、練習者５０によって視識されるため、練習者５０は、自分のスイングが“手打ち”となっていることが判る。
【００４９】
また、バックスイングからインパクトの瞬間に掛けて、打ったボールが左右に曲がるミスヒットとなるスイングをしていると、スイング練習機１が最も振り下ろされたインパクトの瞬間に、視認プレート５の赤色の面７又は青色の面６が、練習者５０によって視識されるため、練習者５０は、自分のスイングがミスヒットとなるスイングをしていることがわかる。
【００５０】
さらに、インパクトからフォロースルーに掛けて、“手打ち”になってしまっていると、スイング練習機１の視認プレート５の青色の面６が、練習者５０によって視識されるため、練習者５０は、自分のスイングが“手打ち”となっていることが判る。
【００５１】
又、図１３に示すように、インパクトからフォロースルーに掛けて、ボールを押すような動作になっていると、スイング練習機１の視認プレート５の赤色の面７が、練習者によって視識されるため、練習者５０は、自分のスイングがボールを押すような動作となっていることが判る。
【００５２】
なお、フォロースルーの後半に掛けては、練習者５０がスイング練習機１の視認プレート５を目視することができ難い状態となるが、それ以前の動作が理想通りのスイングとなっていれば、フォロースルーの後半も良好に行うことができる。
【００５３】
また、例え、スイング練習機１の視認プレート５が、練習者５０の体に対して垂直になっている場合であっても、図１４や図１５に示すように、方向支持プレート１３がスイング動作における円弧の接線方向を向かずに、円弧の内側や外側、あるいは水平方向に対して上方や下方を向いてしまっている場合には、スイング動作時に手首が返っていることがわかる。
【００５４】
このように、上記実施の形態に係るスイング練習機１は、簡単な構成で、低コストにて製造することができるとともに、練習場所を選ぶことなく、任意の場所でゴルフスイングの練習をすることが可能であり、しかも、自分のスイング動作を認識しながら練習することができるので、ボディーターンの原理に従った正しいフォームのスイングを容易に習得することが可能となっている。
【００５５】
なお、上記スイング練習機１を用いることによって、当該スイング練習機１のシャフト部３のスイング動作時におけるあらゆる状態、例えば、シャフト部３の三次元方向における水平や垂直、あるいは回転（ねじれ）など、少なくとも１つ以上の方向の位置や回転（ねじれ）を視認することが可能となる。
【００５６】
実施の形態２
図１６はこの発明の実施の形態２を示すものであり、前記実施の形態１と同一の部分には同一の符号を付して説明すると、この実施の形態２では、ゴルフクラブのシャフト又はスイング練習機のシャフト部のスイング動作時における状態を、目視によって識別可能に形成された視認部材として、垂直方向の視認プレート以外に、水平方向の視認プレートを備えるように構成されている。
【００５７】
すなわち、この実施の形態２に係るスイング練習用具４では、図１６に示すように、スイング練習機１のシャフト部３の両側面に、水平方向用の視認プレート１７、１８が固定した状態で取り付けられている。これらの水平方向用の視認プレート１７、１８は、取り付け位置がシャフト部３に対して水平に取り付けられている以外は、垂直方向の視認プレート５と同様に構成されている。
【００５８】
このように、この実施の形態２に係るスイング練習用具４では、図１６に示すように、スイング練習機１のシャフト部３の両側面に、水平方向用の視認プレート１７、１８を設けることによって、スイング練習機１を用いてスイング練習時に、当該スイング練習機１のシャフト部３が水平にスイングできているか否かを、容易に視認することが可能となる。
【００５９】
その他の構成及び作用は、前記実施の形態１と同様であるので、その説明を省略する。
【００６０】
実施の形態３
図１７はこの発明の実施の形態３を示すものであり、前記実施の形態１と同一の部分には同一の符号を付して説明すると、この実施の形態３では、スイング練習用具をゴルフクラブに着脱自在に取付けるように構成したものである。
【００６１】
すなわち、この実施の形態３に係るスイング練習用具４では、図１７に示すように、スイング練習機１に固定した状態で取り付けるのではなく、実際にプレーに使用するゴルフクラブ６１に着脱自在に取付けるように構成されている。
【００６２】
上記スイング練習用具４は、図１８に示すように、視認プレート５の長手方向の両端の下端部に、当該視認プレート５をゴルフクラブ６１のシャフト６３に着脱自在に取付けるための取付部８、９が、当該シャフト６３を取り囲むように略円弧状に一体的に形成されているとともに、取付部８、９の下端部が開口している。そして、このスイング練習用具４は、視認プレート５の取付部８、９を、ゴルフクラブ６１のシャフト６３に押し当てた状態で、押し込むことによって、当該取付部８、９の開口部が弾性変形して拡開し、ゴルフクラブ６１のシャフト６３に嵌合固定されるようになっている。
【００６３】
また、方向支持プレート１３は、上記取付部８、９の両端部を対向させた状態でネジ止めするなど、ゴルフクラブ６１のシャフト６３に着脱自在に取付ける手段は、任意に採用可能である。
【００６４】
その他の構成及び作用は、前記実施の形態１と同様であるので、その説明を省略する。
【００６５】
最後に、本発明の実施の形態の効果をまとめれば、次の通りである。
【００６６】
（１）アドレスでのクラブフェイスと平行になるようシャフト部３の手元側に視認プレート５を付けることにより、クラブフェイスの向きを正確に目標方向に合わせやすくなる。
（２）視認プレート５の左右の面の色を変えることにより、手元でのファイスの向きを常に確認できる。
（３）スイング練習用具とアドレス時の腰・肩のラインが垂直となるようにかまえることにより、目標方向に対して常に正確に体を合わせることができる。
（４）手先でクラブを上げていくと、フェースは上を向くため（オープンフェース）シャフト部３の手元側に付けた視認プレート５も同じく上を向き、左側の色と面がはっきり見えることにより、角度もフェースの角度もわかりやすくなる。
（５）手首をロックしたままテークバックをした場合、フェイスは下を向くため（シャフトフェイス）（４）と反対のことが確認しやすくなる。
（６）シャフト部３に装着した視認プレート５が、テークバック時に常に地面と体に対し垂直な状態で動かすことにより、肩と腕でできる三角形の形を維持できる。
（８）ダウンスイング時においても、手元側に目標があるため、それに集中して振ることにより、方向性も安定してくれる。
（９）アプローチにおいても、フェイスを開いたり、閉じたりしたときに、面の色と視覚に入る面の大きさをみながら、振ることにより、よりゆったりとした手首を使わないシンプルな動きが習得できる。
（１０）パターの練習においても、手元の面を重視しながら振るため面のばらつきがなくなる。
（１１）実施の形態２によれば、ワンタッチ方式で装着でき、あらゆるシャフトに対応できるように取り付け部分の調整等が簡単にできている。
（１２）シャフトに装着する際、手元、中、先に移動がスムーズにできるため、個人のレベルに合わせて使用することができる。
（１３）プラスチックなどのソフトな材料で作るため体に対しても安全性が保たれる。
（１４）１４本のクラブにマルチに対応できる。
【図面の簡単な説明】
【００６７】
【図１】図１はこの発明の実施の形態１に係るスイング練習用具を適用したスイング練習機を示す斜視図である。
【図２】図２はこの発明の実施の形態１に係るスイング練習用具を適用したスイング練習機のシャフト部を示す平面図である。
【図３】図３はこの発明の実施の形態１に係るスイング練習用具を適用したスイング練習機を示す正面図及び平面図である。
【図４】図４はこの発明の実施の形態１に係るスイング練習用具を適用したスイング練習機を用いてグリップの練習を行う状態を示す説明図である。
【図５】図５は視認プレートを示す正面図である。
【図６】図６はこの発明の実施の形態１に係るスイング練習用具の変形例を適用したスイング練習機を示す斜視図である。
【図７】図７はこの発明の実施の形態１に係るスイング練習用具の変形例を適用したスイング練習機を示す正面図及び平面図である。
【図８】図８はこの発明の実施の形態１に係るスイング練習用具を適用したスイング練習機の使用状態を示す説明図である。
【図９】図９は練習者がゴルフクラブを構えた状態を示す説明図である。
【図１０】図１０は練習者が一連のゴルフスイングを行った状態を示す説明図である。
【図１１】図１１は練習者が一連のゴルフスイングを行った状態を示す説明図である。
【図１２】図１２は練習者がスイング練習機の使用状態を示す説明図である。
【図１３】図１３は練習者がスイング練習機の使用状態を示す説明図である。
【図１４】図１４は練習者がスイング練習機の使用状態を示す模式図である。
【図１５】図１５は練習者がスイング練習機の使用状態を示す模式図である。
【図１６】図１６はこの発明の実施の形態２に係るスイング練習用具を適用したスイング練習機を示す正面図及び平面図である。
【図１７】図１７はこの発明の実施の形態３に係るスイング練習用具を適用したゴルフクラブを示す斜視図である。
【図１８】図１８はこの発明の実施の形態３に係るスイング練習用具を適用したゴルフクラブを示す断面図である。
【図１９】図１９は従来のスイング練習用具を示す説明図である。
【図２０】図２０は従来のスイング練習用具を示す説明図である。
【図２１】図２１は従来のスイング練習用具を示す説明図である。
【図２２】図２２は従来のスイング練習用具を示す説明図である。
【図２３】図２３は従来のスイング練習用具を示す説明図である。
【符号の説明】
【００６８】
１：スイング練習機、２：グリップ部、３：シャフト部、４：スイング練習用具、５：視認プレート（視認部材）。
【図１】
2006296462.tif 000003
【図２】
2006296462.tif 000004
【図３】
2006296462.tif 000005
【図４】
2006296462.tif 000006
【図５】
2006296462.tif 000007
【図６】
2006296462.tif 000008
【図７】
2006296462.tif 000009
【図８】
2006296462.tif 000010
【図９】
2006296462.tif 000011
【図１０】
2006296462.tif 000012
【図１１】
2006296462.tif 000013
【図１２】
2006296462.tif 000014
【図１３】
2006296462.tif 000015
【図１４】
2006296462.tif 000016
【図１５】
2006296462.tif 000017
【図１６】
2006296462.tif 000018
【図１７】
2006296462.tif 000019
【図１８】
2006296462.tif 000020
【図１９】
2006296462.tif 000021
【図２０】
2006296462.tif 000022
【図２１】
2006296462.tif 000023
【図２２】
2006296462.tif 000024
【図２３】
2006296462.tif 000025